(57)【要約】      （修正有）【課題】防塵ゴーグルに関し、飛散物が目に入らない様完全に密閉すればゴーグルに覆われた空間内の人体顔面部の皮膚呼吸や発刊等により曇りが生じて視界が悪くなる点、防塵ゴーグルに穴状等の通気口を設ければ該通気口から入る火の粉等、飛散物が目に入る可能性がある点等の課題を解決した防塵ゴーグルを提供する。【解決手段】ゴーグル枠部２に渦状、或いは迷路状等の通気口３を設け、或いは飛散物が通気口内にざん入した場合、通気口内面での反復反射による反射角の変化により、飛散物の進行を抑制する面の相関関係を有する通気口３を設ける事により、通気性、防塵性に優れた機能を有する形態を形成し、又、通気口に除湿剤等を内包し、除湿機能を加えることを特徴とする防塵ゴーグル。【選択図】図３
2007202814.tif 000002
【特許請求の範囲】
【請求項１】
ゴーグル枠部に渦状、或いは迷路状等の通気口を設ける事により、或いは火の粉等の飛散物が通気口内にざん入した場合、通気口内面での反射を繰り返すうちに、反射角が面に対して直角に近づいていく事によって、飛散物の進行を抑制する面の相関関係を有する通気口を設ける事により、通気口内部に火の粉等、飛散物がざん入した場合において、飛散物が如何なるざん入経路を取ろうとも、ゴーグルに覆われた人体顔面部には到達不可能な形態を有し、優れた通気性、防塵性を有する事を特徴とする防塵ゴーグル。
【請求項２】
又、通気口部を脱着可能にし、或いは通気口内部のメンテナンス用の開け口、及び蓋を設ける事により、通気口内部のメンテナンスが容易である事を特徴とする請求項１に記載の防塵ゴーグル。    
【請求項３】
又、ゴーグル枠部の渦状、或いは迷路状等の通気口に除湿剤等を内包する事により、通気性、防塵性に加え除湿機能を有し、防塵ゴーグルを長時間の作業や重労働、又は湿度の高い作業場等で使用した場合においても、ゴーグルに覆われた空間内の人体顔面部の皮膚呼吸、或いは発刊等によって生じる曇りを通気、及び除湿によって晴らす機能を有する事を特徴とする請求項１及び請求項２に記載の防塵ゴーグル。
【発明の詳細な説明】
【技術分野】
【０００１】
本発明は、ゴーグル枠部に渦状、或いは迷路状等の通気口を設け、通気性、防塵性が共に優れた機能を有する事を特徴とする防塵ゴーグルに関するものである。  
【背景技術】
【０００２】
従来、ゴーグル枠部に穴状の通気口を設けた防塵ゴーグル等があった。
【発明の開示】
【発明が解決しようとする課題】
【０００３】
従来の防塵ゴーグルには、次の様な問題点があった。
（イ）防塵ゴーグルには、火の粉等、飛散物が目に入らない様、密閉性が求められるが、完全に密閉すると、ゴーグルに覆われた空間内の人体顔面部の皮膚呼吸、或いは発刊等によって生じる曇りにより視界が悪くなる為、作業等が困難になる。
（ロ）又、防塵ゴーグルに穴状等の通気口を設けた場合、その通気口から火の粉等、飛散物が目に入る可能性が生じ、通気口の穴は火の粉や粉塵等の飛散物が通過し難い内径にする必要性が生じる為、充分な通気性を有する内径の通気口が得られず、ゴーグル枠部に穴状等の通気口を設けた防塵ゴーグルを長時間の作業や重労働、又は湿度の高い作業場等で使用した場合、ゴーグルに覆われた空間内の人体顔面部の皮膚呼吸、或いは発刊等によって生じる曇りを通気によって晴らす事が不充分となり視界が悪く、不快、且つ安全性の不充分な環境での作業の遂行が余儀のない状態であった。
【課題を解決するための手段】
【０００４】
ゴーグル枠部に渦状、或いは迷路状等の通気口を設ける事により、或いは火の粉等の飛散物が通気口内にざん入した場合、通気口内面での反射を繰り返すうちに、反射角が面に対して直角に近づいていく事によって、飛散物の進行を抑制する面の相関関係を有する通気口を設ける事により、通気性、防塵性が共に優れた機能を有する形態を形成し、又、通気口に除湿剤等を内包する事により、通気性、防塵性に除湿機能を加える。
【発明の効果】
【０００５】
本発明の防塵ゴーグルは優れた通気性、防塵性及び除湿機能を有し、本発明の防塵ゴーグルを長時間の作業や重労働、又は湿度の高い作業場等で使用した場合においても、ゴーグルに覆われた空間内の人体顔面部の皮膚呼吸、或いは発刊等によって生じる曇りを通気、或いは除湿によって晴らす事が充分に成され、視界が良く快適、且つ安全な状態での作業の遂行が可能となる。
【発明を実施するための最良の形態】
【０００６】
図１は、ゴーグル枠部Ａに渦状、或いは迷路状等の通気口ａを設け、通気性、防塵性が共に優れた機能を有する防塵ゴーグルの一例の斜視図である。
【０００７】
図２は、ゴーグル枠部Ａ脇に設けた、通気性、防塵性が共に優れた迷路状の通気口ａを上方から見た断面図の一例である。
【０００８】
図３は、ゴーグル枠部Ａ脇に設けた、通気性、防塵性が共に優れた別の形態の迷路状の通気口ａを上方から見た断面図である。               
【０００９】
図４、図６、図８は、図２に記載の防塵ゴーグルの通気口ａの内部に火の粉等、飛散物がざん入した場合におけるざん入経路の例である。                                          
【００１０】
図５、図７、図９は、図３に記載の防塵ゴーグルの通気口ａの内部に火の粉等、飛散物がざん入した場合におけるざん入経路の例である。図１，２，３に記載の防塵ゴーグルの通気口ａは、内径が大きく優れた通気性を有し、且つ火の粉等、飛散物が如何なるざん入経路を取ろうとも、ゴーグルに覆われた人体顔面部には到達不可能な形態である。
【００１１】
図１０は、火の粉等の飛散物が通気口ａ内にざん入した場合、通気口内面ａ１、ａ２間で反射を繰り返すうちに、反射角が面ａ１、及びａ２に対して直角に近づいていく事によって、飛散物の進行を抑制する面の相関関係を有する。因って、 図６に記載の通気口ａは、図１，２，３に記載の防塵ゴーグルの通気口ａと同様、内径が大きく優れた通気性を有し、且つ火の粉等、飛散物が如何なるざん入経路を取ろうとも、ゴーグルに覆われた人体顔面部には到達不可能な形態である。
【００１２】
又、本発明の防塵ゴーグル枠部の渦状、或いは迷路状等の通気口内部に除湿剤等を内包する事により、通気性、防塵性に除湿機能を有する形態となる。
【００１３】
又、通気口部を脱着可能にし、或いは通気口内部のメンテナンス用の開け口、及び蓋を設ける事により、通気口内部のメンテナンスが容易な形態となる。 以上が、本発明を実施するための最良の形態である。
【図面の簡単な説明】
【００１４】
【図１】本発明の防塵ゴーグルの一例の斜視図である。
【図２】迷路状の通気口の一例を上方から見た断面図である。
【図３】図１，２と同様の機能を有する別の形態の通気口を上方から見た断面図である。
【図４】図２に記載の通気口に飛散物がざん入した場合のざん入経路の一例である。
【図５】図３に記載の通気口に飛散物がざん入した場合のざん入経路の一例である。
【図６】図２に記載の通気口に飛散物がざん入した場合のざん入経路の一例である。
【図７】図３に記載の通気口に飛散物がざん入した場合のざん入経路の一例である。
【図８】図２に記載の通気口に飛散物がざん入した場合のざん入経路の一例である。
【図９】図３に記載の通気口に飛散物がざん入した場合のざん入経路の一例である。
【図１０】飛散物が通気口内にざん入した場合、通気口内面での反射を繰り返すうちに、反射角が面に対して直角に近づいていく事によって、飛散物の進行を抑制する面の相関関係を有する通気口の一例をを上方から見た断面、及びそのざん入経路の図例である。
【符号の説明】
【００１５】
Ａ    ゴーグル枠部
ａ    通気口
ａ１  通気口の内面ａ２に相対する内面
ａ２  通気口の内面ａ１に相対する内面
１    ゴム等の弾性体
２    フレーム
【図１】
2007202814.tif 000003
【図２】
2007202814.tif 000004
【図３】
2007202814.tif 000005
【図４】
2007202814.tif 000006
【図５】
2007202814.tif 000007
【図６】
2007202814.tif 000008
【図７】
2007202814.tif 000009
【図８】
2007202814.tif 000010
【図９】
2007202814.tif 000011
【図１０】
2007202814.tif 000012
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
ゴーグル枠部に渦状、或いは迷路状の通気構造を設ける事により、
或いは火の粉等の飛散物が通気構造内にざん入した場合、通気構造体内の壁面間での反射を繰り返すうちに、反射角が面に対して直角に近づいていく事によって、飛散物の進行を抑制する面の相関関係を有する通気構造を設ける事により、
通気構造内部に火の粉等、飛散物がざん入した場合において、飛散物が如何なるざん入経路を取ろうとも、ゴーグルに覆われた人体顔面部には到達不可能な形態を有し、
優れた通気性、防塵性を有する事を特徴とする作業用防塵ゴーグル。
【請求項２】
通気口部を脱着可能にし、或いは通気構造内部のメンテナンス用の開け口、及び蓋を設ける事により、通気構造内部のメンテナンスが容易である事を特徴とする請求項１に記載の作業用防塵ゴーグル。
【請求項３】
ゴーグル枠部の渦状、或いは迷路状の通気構造体内に除湿剤を内包する事により、通気性、防塵性に加え除湿機能を有し、
防塵ゴーグルを長時間の作業や重労働、又は湿度の高い作業場で使用した場合においても、ゴーグルに覆われた空間内の人体顔面部の皮膚呼吸、或いは発汗によって生じる曇りを通気、及び除湿によって晴らす機能を有する事を特徴とする請求項１及び請求項２に記載の作業用防塵ゴーグル。
【手続補正２】
【補正対象書類名】明細書
【補正対象項目名】全文
【補正方法】変更
【補正の内容】
【発明の詳細な説明】
【技術分野】
【０００１】
本発明は、ゴーグル枠部に渦状、或いは迷路状の通気構造を設け、或いは火の粉等の飛散物が通気構造内にざん入した場合、通気構造体内の壁面間での反射を繰り返すうちに、反射角が面に対して直角に近づいていく事によって、飛散物の進行を抑制する面の相関関係を有する通気構造を設け、
通気性、防塵性が共に優れた機能を有する事を特徴とする作業用防塵ゴーグルに関するものである。
【背景技術】
【０００２】
従来の作業用防塵ゴーグルに於いて、ゴーグルに通気性と防塵性を持たせる為に、
ゴーグル枠部に穴状の通気口を設けた作業用防塵ゴーグルがあった。
【０００３】
従来の作業用防塵ゴーグルに於いて、ゴーグルに通気性と防塵性を持たせる為に、
通気構造内に突き当たり壁を設けたものとして、
【特許文献１】特開平８−６６４２２号公報の保護眼鏡があった。
【０００４】
従来の防塵性を有する通気構造として、
【特許文献２】特開２００２−２６７５４号公報の防曇防塵表カバー及び防曇防塵性車載メータの通気構造、
【特許文献３】実用新案登録第２６０６５９４号公報の車両用室外ランプの通気構造、
【特許文献４】実願平３−５８００８号（実開平５−６５１９号）のＣＤ−ＲＯＭの車両用灯具の通気構造があった。
【０００５】
従来のゴーグルの通気構造体を脱着可能にした技術としては、
【特許文献５】国際公開第２００４／０３４１２７号パンフレット（特表２００６−５０７５１９号公報）の静電濾過アイウェアの通気構造があった。
【発明の開示】
【発明が解決しようとする課題】
【０００６】
従来のゴーグル枠部に穴状の通気口を設けた作業用防塵ゴーグルには、次の様な問題点があった。
（イ）防塵ゴーグルには、火の粉等、飛散物が目に入らない様、密閉性が求められるが、完全に密閉すると、ゴーグルに覆われた空間内の人体顔面部の皮膚呼吸、或いは発汗によって生じる曇りにより視界が悪くなる為、作業等が困難になる。
（ロ）又、防塵ゴーグルに穴状等の通気口を設けた場合、その通気口から火の粉等、飛散物が目に入る可能性が生じ、通気口の穴は火の粉や粉塵等の飛散物が通過し難い内径にする必要性が生じる為、充分な通気性を有する内径の通気口が得られず、ゴーグル枠部に穴状の通気口を設けた防塵ゴーグルを長時間の作業や重労働、又は湿度の高い作業場等で使用した場合、ゴーグルに覆われた空間内の人体顔面部の皮膚呼吸、或いは発汗によって生じる曇りを通気によって晴らす事が不充分となり視界が悪く、不快、且つ安全性の不充分な環境での作業の遂行が余儀のない状態であった。
以上の事から、ゴーグル枠部に穴状の通気口を設けた作業用防塵ゴーグルの問題は、
作業用防塵ゴーグルに求められる、
高い防塵性と通気性の両立という基本的要素の欠如であると云える。
【０００７】
特許文献１・特開平８−６６４２２号公報の保護眼鏡は、
充分な通気性を有する為に内径の大きな通気口が儲けられている。
これによって、ゴーグルに充分な通気性を有する事ができるが、通気口の内径が大きい故、必然的に飛散物ざん入の可能性が高くなる。
この為、ゴーグルの通気口から飛散物がざん入しても、飛散物がゴーグルに覆われた空間内の人体顔面部に到達出来ない様にする必要性が生じる。
特許文献１の保護眼鏡は、この問題を解決する為に通気構造内に突き当たり壁が設けられているが、その防塵性は作業用防塵ゴーグルに求められる充分な防塵性を有してはおらず、先に挙げた問題の解決が充分に成されていない処か、
むしろ、作業用防塵ゴーグルの通気構造として場合によっては、非常に危険な構造である。
この、防塵対策として単に突き当たり壁を設けただけの通気構造は、
内径の大きな通気口に、勢いのある飛散物がざん入した場合、ざん入経路によっては飛散物が通気構造内を完全に通過して保護眼鏡使用者の保護眼鏡によって覆われた空間に到達し、眼球等、保護眼鏡使用者の保護眼鏡によって覆われた空間内の人体顔面部を損傷する可能性を有している。
【０００８】
特許文献１の保護眼鏡の通気構造に於ける防塵対策としての形態、
側方フレーム部分３に、空気が外側から来て突き当たり壁を介して内側の方へ方向を変える通気口７は、
図１、及び図２、及び図３に記載の様な勢いのある飛散物のざん入経路に対し飛散物の進入を抑制する事は出来ない。
この事から、特許文献１の保護眼鏡の通気構造は、高い防塵性と通気性の両立という基本的要素が満たされていないと云える。
【０００９】
特許文献２・特開２００２−２６７５４号公報の防曇防塵表カバー及び防曇防塵性車載メータの通気構造は、迷路状と表現される通気用ギャップを有する構造体であるが、
勢いのある飛散物のざん入経路に対し、飛散物の進行を抑制する機能を殆ど有していない。
図４〜６は何れも、特許文献２の通気構造内に飛散物がざん入した場合のざん入経路の例であるが、
飛散物は通気構造内を容易に通過し、特許文献２の通気構造が勢いのある飛散物の進行を抑制する機能を殆ど有していない事が解る。
【００１０】
更に、特許文献２の通気構造は、通気口が数カ所に多角的に設置されており、これに因って必然的に、様々な方向に口を開けた数カ所の通気口の内のどちらかが、飛散物が入りやすい位置にあったり、飛散物が入りやすい方向を向いている可能性が高くなる。
これらの事から、特許文献２の通気構造は、迷路状と表現された通気用ギャップを有する構造体ではあるが、実際は飛散物がざん入した場合、飛散物の進行の抑制力が乏しく、迷路状の通気構造とは称し難い構造体であると云える。
以上の事から、特許文献２の通気構造は、防曇防塵表カバー及び防曇防塵性車載メータの通気構造としては有用であっても、高い防塵性、及び通気性を求められる防塵ゴーグルへの使用には適さず、又、応用が困難な形態であると云える。
【００１１】
特許文献３・実用新案登録第２６０６５９４号公報に於ける迷路状と表現される通気構造は、比較的高い防塵性を有してはいるが防塵ゴーグルの通気構造としてこの形態を使用した場合、通気性が充分ではない形態となる。
何故ならば、防塵ゴーグル使用者の使用時、例えば長時間労働、或いは重労働に於ける皮膚呼吸及び労働に伴う発汗に因る防塵ゴーグルによって覆われた空間内の曇りを晴らすのに充分な内径の通気口が設けられていないからである。
【００１２】
又、この問題を解決する為に、防塵ゴーグル使用者の使用時に於ける皮膚呼吸及び労働に伴う発汗に因る防塵ゴーグルによって覆われた空間内の曇りを晴らすのに充分な内径の通気口を設けた場合、
勢いのある飛散物に対し、飛散物の進入を止める事は出来ず、元々は比較的高かった防塵性を著しく低減させてしまう事になってしまう。
図７〜９は何れも、特許文献３の通気構造内に勢いのある飛散物がざん入した場合のざん入経路の例であるが、飛散物は通気構造内を通過し、作業用防塵ゴーグルへの使用は危険である。
従って、特許文献３の通気構造は、作業用防塵ゴーグルへ応用した場合、真の意味で迷路状の通気構造とは称し難い構造体となる。
何故ならば、迷路状の構造とは、その構造内に進入するものの進行が困難な構造であると云えるからである。
迷路とは、進入したものが文字通り迷路で迷い、迷路を通りきる事が困難な構造に他ならない。
以上の事から、特許文献３の通気構造は、作業用防塵ゴーグルに求められる、高い防塵性と通気性の両立という基本的要素を満たす事が困難であり、従って、作業用防塵ゴーグルへの使用には適さず、又、応用が困難な形態であると云える。
【００１３】
特許文献４・実願平３−５８００８号の通気構造は、ゴーグルの通気構造には適さないものである。
何故ならば、通気構造の形態が複雑である上にデッドスペースが生じる事が避けられない形態だからである。
これは特許文献４の通気構造の様に互い違いになった壁を通気構造の中心から引いた放射状直線になぞる様な形状にすると、通気構造の壁面同士が平行では無くなる為、通気構造の通気性及び防塵性とは全く関係ないスペース配分をしなければならない箇所が生じ、余計な空間が生じるのを避けるのは幾何的に不可能だからである。
図１０〜１２の網目状の交差線部分が主なデッドスペースである。
【００１４】
構造が複雑である事とデッドスペースを有する事はどちらも構造体自体の大きさと重さが増す要素であり、従って、特許文献４の通気構造は、作業を安全且つ容易に遂行させる為の道具としての有用性に乏しい構造である。
大きな、或いは重いゴーグルを装着して長時間作業を続ける事は困難だからである。
これは作業者にとっての疲労因子となり、それに因り注意力が散漫になる事で作業上のミスや事故を誘発する要素になり、当然避けなければならない事柄である。
【００１５】
又、それでは困るからと特許文献４の通気構造のコンパクトさ及び軽量化の為に構造体を小さくすれば、必然的に、元々複雑ゆえに内径が小さめだった通気構造が、更に小さくなり、防塵ゴーグル装着者の皮膚呼吸及び発汗等により、防塵ゴーグルによって覆われた空間内が湿気で曇ってしまい、通気性を失う可能性が生じる。
【００１６】
更に、特許文献４の通気構造は防塵ゴーグルに応用した場合、
防塵ゴーグル装着者の皮膚呼吸及び発汗等による湿気が、特許文献４の通気構造を応用した通気構造内に充満すると、
通気構造内を通気する湿気を伴った気流に因り湿気の密度が増し、必然的に、通気構造内の流路の壁に対して、壁面に水滴が溜まるには充分な湿気を伴う気圧がかかる事になる。
何故ならば、先に挙げた様に通気構造の壁面を放射状にすると、通気構造の壁面同士が平行では無くなり、又、通気構造内の通気に於いて、空間が狭くなる程通気中の空気には、圧力がかかるからである。
これに因り、壁面同士の距離が狭い処ほど壁面に水滴が溜まり易く、従って水滴に因るつまりを誘発し易い。
図１２は、特許文献４の通気構造の平面図であるが、通気構造の壁面が放射状になっている為、構造の中心部に近づく程壁面同士が近づき狭くなる。これにより必然的に先に挙げた様な欠陥が生じる。
【００１７】
又、これらの問題を解決しようと通気構造の壁面同士を平行にすると、今度は通気構造の構造体の強度的な問題が生じる。
つまり、通気構造の内側の壁の根本が細くなってしまい、特許文献４の通気構造を使用した防塵ゴーグルを謝って落下させた場合、通気構造の内側の壁の根本が折れてしまう可能性が高くなってしまう。
これも放射状の線形が一点から四方八方に向かって延びる線形である為、必然的にその様な幾何力学的性質を有する事になるのである。
図１３の通気構造は内側の壁の根本が細く、この形態の通気構造を使用した防塵ゴーグルを謝って落下させた場合、ｏ〜ｔの部分が折れてしまう可能性が高い。
これらの欠陥は何れも特許文献４の通気構造が、二重の円筒形を元に円の中心から引いた放射状直線になぞる様な壁を互い違いにする事により、構築されているからである。
【００１８】
これらの事から、特許文献４の通気構造は車両用灯具の通気構造としては優れた構造形態であると云えるが、防塵ゴーグルの通気構造としては基本的な大きな欠陥があり、その欠陥を解消する事が不可能、或いは非常に困難な構造形態であると云える。
【００１９】
以上の事から、
特許文献２・特開２００２−２６７５４号公報の防曇防塵表カバー及び防曇防塵性車載メータの通気構造及び、
特許文献３・実用新案登録第２６０６５９４号公報の車両用室外ランプの通気構造及び、
特許文献４・実願平３−５８００８号（実開平５−６５１９号）のＣＤ−ＲＯＭの車両用灯具の通気構造は、何れも、作業用の防塵ゴーグルの通気構造に於ける基本的ニーズである高い防塵性と通気性の両立を満たす事が困難という致命的な欠陥を有していると云え、作業用の防塵ゴーグルの通気構造への応用が不可能、或いは非常に困難な構造形態であると云える。
【００２０】
作業用の防塵ゴーグルの通気構造に求められる「高い防塵性と通気性の両立」は、
ゴーグル使用者の安全面に直接的に関わってくる要素であり、既に解決が成されていなければ成らない基本的要素と云える。
しかし、作業用の防塵ゴーグルの通気構造としての不可欠な要素である安全性と作業遂行の容易さの両立が、既存の通気構造では未だ満たされていないのが現状なのである。  その為、「防塵性と通気性を有する」とされる既存の通気構造の作業用の防塵ゴーグルの使用現場の実際としては、上の理由に起因する眼球の損傷その他の事故が頻発している。
【００２１】
一つ例を挙げるならば、重労働でありながら精密さが求められる作業等、
例えば、自動車の製造工場の板金圧着現場は、自動車用の板金を電圧と圧力を同時に加え溶接する為、勢いのある火の粉が頻繁に飛散するが、実際現場で使用されている防塵ゴーグルの通気性能は充分ではなく、防塵ゴーグル装着後、直ぐに防塵ゴーグルに覆われた空間内が、使用者の皮膚呼吸や発汗により曇ってしまう。
それでは作業の遂行がままならない為、防塵ゴーグル着用者は防塵ゴーグル装着時、
防塵ゴーグルに覆われた空間内の充分な通気を得るべく防塵ゴーグル枠部を顔面に密着させない様にして作業を行うか、（つまり、わざと隙間を作る様に防塵ゴーグルを装着する。これは当然、飛散物の進入に対して無防備となる為、危険である。しかし、ゴーグルが曇っては仕事にならないからと、この様な行為を取る作業者は実際多い。）
或いは、防塵ゴーグル枠部を顔面に密着させ、防塵ゴーグルに覆われた空間内の曇りにより充分な視界を得られないまま、作業を行う事になる。
しかし、これも悪戯に目を酷使する事となり、それに因る緊張や過労から事故を招きやすい。
この様な現場の実際により、本来は比較的単純であり作業者にとって慣れた作業である場合が多いにも関わらず自動車の製造工場の作業現場では、
あり得ないはずの、飛散物による眼球の損傷を含む怪我や、目や神経の酷使から来る疲労に因る作業上のミスや事故が頻発している。
【００２２】
従来の防塵ゴーグルの通気構造体を脱着可能にした技術に、
特許文献５・国際公開第２００４／０３４１２７号パンフレット（特表２００６−５０７５１９号公報）の静電濾過アイウェアの通気構造に於ける脱着可能なフィルターは、
その構造が非常に微細で複雑な構造体である為、フィルターが詰まりやすく、
従って、飛散物が頻繁に飛散する作業現場での防塵ゴーグルへの使用が不可能、或いは非常に困難な形態であり、
又、詰まって通気性能の落ちたフィルターをメンテナンスする事自体が不可能、或いは非常に困難な形態である。
特許文献５の通気構造に於ける脱着可能なフィルターのこの様な性質上、必然的に交換の必要性が生じる。
つまり、フィルターを脱着可能なものとする事は、メンテナンスする事が不可能、或いは非常に困難なフィルターの交換をする為であると云える。
しかし、フィルターが詰まりやすく、詰まって通気性能が衰えるたびにフィルターを交換するのは、作業現場の作業効率が悪くなる上に不経済である。
【００２３】
以上のことから、作業用防塵ゴーグルの従来の技術に於ける課題は、
作業用防塵ゴーグルに求められる高い防塵性と通気性の両立という基本的要素が未だに満たされていない事、
作業用防塵ゴーグルに応用可能な、高い防塵性と通気性の両立が為された通気構造が存在しない事、
それ故に、作業用防塵ゴーグルに於ける、高い防塵性と通気性の両立が為された通気構造のメンテナンスを容易にする技術としての通気構造が脱着可能な形態が存在しない事であると云える。
本発明は、これらの問題点を解決するために為されたものである。
【課題を解決するための手段】
【００２４】
ゴーグル枠部に渦状、或いは迷路状の通気口を設ける事により、
或いは火の粉等の飛散物が通気口内にざん入した場合、通気構造体内の壁面間での反射を繰り返すうちに、反射角が面に対して直角に近づいていく事によって、飛散物の進行を抑制する面の相関関係を有する通気構造を設ける事により、通気性、防塵性が共に優れた機能を有する形態を形成し、
又、通気口に除湿剤を内包する事により、通気性、防塵性に除湿機能を加える。
【発明の効果】
【００２５】
本発明の防塵ゴーグルは優れた通気性、防塵性及び除湿機能を有し、
本発明の防塵ゴーグルを長時間の作業や重労働、又は湿度の高い作業場等で使用した場合においても、
ゴーグルに覆われた空間内の人体顔面部の皮膚呼吸、或いは発汗によって生じる曇りを通気、或いは除湿によって晴らす事が充分に成され、視界が良く快適、且つ安全な状態での作業の遂行が可能となる。
【発明を実施するための最良の形態】
【００２６】
図１４は、ゴーグル枠部Ａに渦状、或いは迷路状等の通気口ａを設け、通気性、防塵性が共に優れた機能を有する防塵ゴーグルの一例の斜視図である。
【００２７】
図１５は、ゴーグル枠部Ａ脇に設けた、通気性、防塵性が共に優れた迷路状の通気口ａを上方から見た断面図の一例である。
【００２８】
図１６は、ゴーグル枠部Ａ脇に設けた、通気性、防塵性が共に優れた別の形態の迷路状の通気口ａを上方から見た断面図である。
【００２９】
図１７、図１９、図２１は、図１５に記載の防塵ゴーグルの通気口ａの内部に火の粉等、飛散物がざん入した場合におけるざん入経路の例である。
【００３０】
図１８、図２０、図２２は、図１６に記載の防塵ゴーグルの通気口ａの内部に火の粉等、飛散物がざん入した場合におけるざん入経路の例である。図１４，１５，１６に記載の防塵ゴーグルの通気口ａは、内径が大きく優れた通気性を有し、且つ火の粉等、飛散物が如何なるざん入経路を取ろうとも、ゴーグルに覆われた人体顔面部には到達不可能な形態である。
【００３１】
図２３は、火の粉等の飛散物が通気口ａ内にざん入した場合、通気構造体内の壁面ａ１、ａ２間で反射を繰り返すうちに、反射角が面ａ１、及びａ２に対して直角に近づいていく事によって、飛散物の進行を抑制する面の相関関係を有する。
因って、 図１９に記載の通気口ａは、図１４，１５，１６に記載の防塵ゴーグルの通気口ａと同様、内径が大きく優れた通気性を有し、且つ火の粉等、飛散物が如何なるざん入経路を取ろうとも、ゴーグルに覆われた人体顔面部には到達不可能な形態である。
【００３２】
又、本発明の防塵ゴーグル枠部の渦状、或いは迷路状等の通気構造体内部に除湿剤を内包する事により、通気性、防塵性に除湿機能を有する形態となる。
【００３３】
又、通気構造体を脱着可能にし、或いは通気構造体内部のメンテナンス用の開け口、及び蓋を設ける事により、通気構造体内部のメンテナンスが容易な形態となる。
以上が、本発明を実施するための最良の形態である。
【図面の簡単な説明】
【００３４】
【図１】特許文献１の通気構造体内に飛散物がざん入した場合のざん入経路の一例である。飛散物は通気構造内を完全に通過し、防塵ゴーグル使用者の眼球付近に到達する。
【図２】特許文献１の通気構造体内に飛散物がざん入した場合のざん入経路の一例である。飛散物は通気構造内を完全に通過し、防塵ゴーグル使用者の眼球付近に到達する。
【図３】特許文献１の通気構造体内に飛散物がざん入した場合のざん入経路の一例である。飛散物は通気構造内を完全に通過し、防塵ゴーグル使用者の眼球付近に到達する。
【図４】特許文献２の通気構造体内に飛散物がざん入した場合のざん入経路の一例である。飛散物は通気構造内を容易に通過し、更に、数カ所から同時に飛散物がざん入する危険性を有する、防塵ゴーグルへの応用が非常に困難な形態である。
【図５】特許文献２の通気構造体内に飛散物がざん入した場合のざん入経路の一例である。飛散物は通気構造内を容易に通過し、更に、数カ所から同時に飛散物がざん入する危険性を有する、防塵ゴーグルへの応用が非常に困難な形態である。
【図６】特許文献２の通気構造内に飛散物がざん入した場合のざん入経路の一例である。飛散物は通気構造内を容易に通過し、更に、数カ所から同時に飛散物がざん入する危険性を有する、防塵ゴーグルへの応用が非常に困難な形態である。
【図７】特許文献３の通気構造を防塵ゴーグルへ応用するべく通気口の内径を大きくした通気構造体内に飛散物がざん入した場合のざん入経路の一例である。飛散物は通気構造体内を完全に通過し、防塵ゴーグルへの応用が困難な形態である。
【図８】特許文献３の通気構造を防塵ゴーグルへ応用するべく通気口の内径を大きくした通気構造体内に飛散物がざん入した場合のざん入経路の一例である。飛散物は通気構造体内を完全に通過し、防塵ゴーグルへの応用が困難な形態である。
【図９】特許文献３の通気構造を防塵ゴーグルへ応用するべく通気口の内径を大きくした通気構造体内に飛散物がざん入した場合のざん入経路の一例である。飛散物は通気構造体内を完全に通過し、防塵ゴーグルへの応用が困難な形態である。
【図１０】特許文献４の通気構造に於ける主なデッドスペースを網の目状の交差の線形で示した斜視図である。
【図１１】特許文献４の通気構造に於ける主なデッドスペースを網の目状の交差の線形で示した斜視図である。
【図１２】図１１と同様の形態の平面図である。斜線部分がこの通気構造に於ける主なデッドスペースである。
【図１３】図１１の形態の通気性の問題を解決するべく通気構造の壁面同士を平行にした形態の平面図である。しかし、今度は強度的な欠陥が生じている。
【図１４】本発明の防塵ゴーグルの一例の斜視図である。
【図１５】迷路状の通気口の一例を上方から見た断面図である。
【図１６】図１，２と同様の機能を有する別の形態の通気口を上方から見た断面図である。
【図１７】図２に記載の通気口に飛散物がざん入した場合のざん入経路の一例である。
【図１８】図３に記載の通気口に飛散物がざん入した場合のざん入経路の一例である。
【図１９】図２に記載の通気口に飛散物がざん入した場合のざん入経路の一例である。
【図２０】図３に記載の通気口に飛散物がざん入した場合のざん入経路の一例である。
【図２１】図２に記載の通気口に飛散物がざん入した場合のざん入経路の一例である。
【図２２】図３に記載の通気口に飛散物がざん入した場合のざん入経路の一例である。
【図２３】飛散物が通気口内にざん入した場合、通気構造体内の壁面間での反射を繰り返すうちに、反射角が面に対して直角に近づいていく事によって、飛散物の進行を抑制する面の相関関係を有する通気構造の一例をを上方から見た断面、及びそのざん入経路の図例である。
【符号の説明】
【００３５】
Ａ１〜３  特許文献１の通気構造内に飛散物がざん入した場合のざん入経路の一例
ａ  通気口
ｂ  通気構造内通路状区間
ｃ  突き当たり壁
ｄ  空気流路
Ｂ１−１  図４（特許文献２の通気構造）のギャップ１を有する通気構造内に飛散物がざん入した場合のざん入経路の一例
Ｂ１−２  図４（特許文献２の通気構造）のギャップ２を有する通気構造内に飛散物がざん入した場合のざん入経路の一例
Ｂ１−３  図４（特許文献２の通気構造）のギャップ３を有する通気構造内に飛散物がざん入した場合のざん入経路の一例
Ｂ２−２  図５（特許文献２の通気構造）のギャップ２を有する通気構造内に飛散物がざん入した場合のざん入経路の一例
Ｂ２−３  図５（特許文献２の通気構造）のギャップ３を有する通気構造内に飛散物がざん入した場合のざん入経路の一例
Ｂ２−９  図５（特許文献２の通気構造）のギャップ９を有する通気構造内に飛散物がざん入した場合のざん入経路の一例
Ｂ２−１０  図５（特許文献２の通気構造）のギャップ１０を有する通気構造内に飛散物がざん入した場合のざん入経路の一例
Ｂ３−２  図６（特許文献２の通気構造）のギャップ２を有する通気構造内に飛散物がざん入した場合のざん入経路の一例
Ｂ３−３  図６（特許文献２の通気構造）のギャップ３を有する通気構造内に飛散物がざん入した場合のざん入経路の一例
Ｂ３−９  図６（特許文献２の通気構造）のギャップ９を有する通気構造内に飛散物がざん入した場合のざん入経路の一例
Ｇ１〜Ｇ３  図４〜６（特許文献２の通気構造）の防塵ギャップ
Ｇ７〜Ｇ１０  図４〜６（特許文献２の通気構造）の防塵ギャップ
Ｃ１〜３  特許文献３の通気構造（図７〜９）の通気構造内に飛散物がざん入した場合のざん入経路
Ｘ  特許文献４の通気構造（図１０〜１２）の通気構造に於ける主なデッドスペース
ｏ  図１３の通気構造内の壁の細い部分
ｐ  図１３の通気構造内の壁の細い部分
ｑ  図１３の通気構造内の壁の細い部分
ｒ  図１３の通気構造内の壁の細い部分
ｓ  図１３の通気構造内の壁の細い部分
ｔ  図１３の通気構造内の壁の細い部分
Ｚ    ゴーグル枠部
ａ１  通気構造体内の壁面ａ２に相対する壁面
ａ２  通気構造体内の壁面ａ１に相対する壁面
１    弾性体
２    フレーム
【手続補正４】
【補正対象書類名】図面
【補正対象項目名】全図
【補正方法】追加
【補正の内容】
【図１】
2007202814.tif 000013
【図２】
2007202814.tif 000014
【図３】
2007202814.tif 000015
【図４】
2007202814.tif 000016
【図５】
2007202814.tif 000017
【図６】
2007202814.tif 000018
【図７】
2007202814.tif 000019
【図８】
2007202814.tif 000020
【図９】
2007202814.tif 000021
【図１０】
2007202814.tif 000022
【図１１】
2007202814.tif 000023
【図１２】
2007202814.tif 000024
【図１３】
2007202814.tif 000025
【図１４】
2007202814.tif 000026
【図１５】
2007202814.tif 000027
【図１６】
2007202814.tif 000028
【図１７】
2007202814.tif 000029
【図１８】
2007202814.tif 000030
【図１９】
2007202814.tif 000031
【図２０】
2007202814.tif 000032
【図２１】
2007202814.tif 000033
【図２２】
2007202814.tif 000034
【図２３】
2007202814.tif 000035